【事件の表示】
　平成１０年特許願第３５７４７２号「画像表示装置」拒絶査定不服審判事件〔平成１２年　６月３０日出願公開、特開２０００−１８１４４１〕について、次のとおり審決する。
【結　論】
　本件審判の請求は、成り立たない。
【理　由】
第１　手続の経緯
　本願は、平成１０年１２月１６日の出願であって、平成１９年７月６日付け（発送日：平成１９年７月１０日）で拒絶査定がなされ、これに対して平成１９年８月９日に拒絶査定不服審判の請求がなされるとともに、平成１９年９月１０日付けで明細書を対象とする手続補正がなされたものであって、当審において、平成２１年６月１６日付け（発送日：平成２１年６月２３日）で拒絶の理由を通知したところ、これに対して平成２１年８月２０日付けで意見書が提出されるとともに、同日付けで明細書を対象とする手続補正がなされたが、平成２１年１０月５日付け（発送日：平成２１年１０月６日）で拒絶の理由（以下、「当審拒絶理由」という。）を通知したところ、これに対して平成２１年１１月２６日付けで意見書（以下、「意見書」という。）が提出されたものである。
　
第２　当審拒絶理由の概要
　
　この出願は、発明の詳細な説明の記載が下記の点で、特許法第３６条第４項に規定する要件を満たしていない。
　
　　　　　　　　　　　　　　　　　　記
　
（１）発明の詳細な説明の段落【０００６】、【０００８】、【００１１】、【００１５】、【００１８】、【００２４】、【００２７】、【００３４】、【００３６】、【００４７】には、小画像が合成されることになる領域の背景画像を保護データ記憶部に退避させることが記載されているが、優先順位の高い小画像が書き込まれる際の背景画像が、それ以前に書き込まれている優先順位の低い小画像を含む背景画像を意味するのか、小画像が含まれない背景画像のみを意味するのか明らかでない。例えば、優先順位の低い小画像（以下、「スプライト画像ＳＰ１」という。本願明細書の図４Ａの時計の画像とする。）の上に、優先順位の高い小画像（以下、「スプライト画像ＳＰ２」という。本願明細書の図４Ｂのコップの画像とする。）が書き込まれる場合（参考図１を参照。）、保護データ記憶部に退避させる、スプライト画像ＳＰ２が重ね合わせられた部分の背景画像が、スプライト画像ＳＰ２により隠される領域のスプライト画像ＳＰ１を含まない背景画像のみ（参考図２を参照。）なのか、スプライト画像ＳＰ２により隠される領域のスプライト画像ＳＰ１の一部を含む背景画像（参考図３を参照。）なのかが明らかでない。
　
　
（２）スプライト画像ＳＰ２が合成されることになる領域の背景画像が、仮に、スプライト画像ＳＰ２により隠される領域のスプライト画像ＳＰ１の一部を含む背景画像（参考図３を参照。）である場合、以下の点で発明の詳細な説明は、請求項１−２に係る発明を実施可能な程度に記載したものではない。
　
　発明の詳細な説明の、特に段落【００２６】−【００３６】，図１０，１２には、請求項１−２に係る発明に関連して、静止画スプライト処理の手順が記載されている。
　
　ここで、上記発明の詳細な説明の記載が、請求項１−２に係る発明を当業者が実施することができる程度に明確かつ十分になされた記載であるかどうかを、静止画の背景画像に、２つのスプライト画像ＳＰ１、ＳＰ２が合成された画面において、スプライト画像ＳＰ１の上に、スプライト画像ＳＰ２が合成された状態（ＳＰ２はＳＰ１より優先順位が高いとする。参考図４を参照。）から、ＳＰ１及びＳＰ２を別の位置に移動する場合を想定して、検討する。
　
　図１０のフローチャートを参酌すると、以下の手順で順次にスプライト画像の表示処理が行われる。
（Ａ）スプライト画像ＳＰ１の移動前の位置に、保護データＰＴＤ１を書き込む。
（Ｂ）移動先の位置の背景画像を、保護データＰＴＤ１として退避する。
（Ｃ）移動先の位置に、スプライト画像ＳＰ１を書き込む。
（Ｄ）スプライト画像ＳＰ２の移動前の位置に、保護データＰＴＤ２を書き込む。
（Ｅ）移動先の位置の背景画像を、保護データＰＴＤ２として退避する。
（Ｆ）移動先の位置に、スプライト画像ＳＰ２を書き込む。
　
　上記（Ａ）〜（Ｆ）の手順を総合すると、上記手順（Ａ）の開始時点で、背景画像の上の移動前の位置にスプライト画像ＳＰ１が書き込まれており、さらにその上にスプライト画像ＳＰ２が書き込まれていることから（参考図４を参照。）、保護データＰＴＤ１は、スプライト画像ＳＰ１によって隠された背景画像であり、保護データＰＴＤ２は、スプライト画像ＳＰ２によって隠された、背景画像及びスプライト画像ＳＰ１の一部（参考図３を参照。）であるといえる。
　
　上記（Ａ）〜（Ｆ）の手順の終了後に、スプライト画像ＳＰ２の移動前の位置にどのような画像が表示されているかを検討すると、上記手順（Ｄ）において、スプライト画像ＳＰ２の移動前の位置に保護データＰＴＤ２（参考図３を参照。）が書き込まれた後、それ以降、スプライト画像ＳＰ２の移動前の位置には一切、画像が書き込まれていないから、スプライト画像ＳＰ２の移動前の位置には、保護データＰＴＤ２であるスプライト画像ＳＰ２によって隠された、背景画像及びスプライト画像ＳＰ１の一部（参考図３を参照。）が表示されているといえる。してみると、スプライト画像ＳＰ１、ＳＰ２は移動先の位置に移動しており、スプライト画像ＳＰ１、ＳＰ２の移動前の位置に表示される画像は、本来背景画像のみとなっているべきにもかかわらず、スプライト画像ＳＰ１の一部が表示されているのであるから（参考図５を参照。）、「上記背景画像が静止画の場合、上記保護データ記憶部からの前回の保護データにより上記背景画像を修復」できないことは明らかである。
　
　
　
（３）スプライト画像ＳＰ２が合成されることになる領域の背景画像が、仮に、スプライト画像ＳＰ２により隠される領域の背景画像のみ（参考図２を参照。）である場合、以下の点で発明の詳細な説明は、請求項１−２に係る発明を実施可能な程度に記載したものではない。
　
　ここで、上記発明の詳細な説明の記載が、請求項１−２に係る発明を当業者が実施することができる程度に明確かつ十分になされた記載であるかどうかを、静止画の背景画像に、２つのスプライト画像ＳＰ１、ＳＰ２が合成された画面において、スプライト画像ＳＰ１の上に、スプライト画像ＳＰ２が合成された状態（ＳＰ２はＳＰ１より優先順位が高いとする。参考図４を参照。）から、ＳＰ１を
移動前のＳＰ２と重なる別の位置
　
　上述した（２）と同様に、図１０のフローチャートを参酌すると、以下の手順で順次にスプライト画像の表示処理が行われる。
（Ａ）スプライト画像ＳＰ１の移動前の位置に、保護データＰＴＤ１を書き込む。
（Ｂ）移動先の位置の背景画像を、保護データＰＴＤ１として退避する。
（Ｃ）移動先の位置に、スプライト画像ＳＰ１を書き込む。
（Ｄ）スプライト画像ＳＰ２の移動前の位置に、保護データＰＴＤ２を書き込む。
（Ｅ）移動先の位置の背景画像を、保護データＰＴＤ２として退避する。
（Ｆ）移動先の位置に、スプライト画像ＳＰ２を書き込む。
　
　上記（Ａ）〜（Ｆ）の手順を総合すると、上記手順（Ａ）の開始時点で、背景画像の上の移動前の位置にスプライト画像ＳＰ１が書き込まれており、さらにその上にスプライト画像ＳＰ２が書き込まれていることから（参考図４を参照。）、保護データＰＴＤ１は、スプライト画像ＳＰ１によって隠された背景画像であり、保護データＰＴＤ２は、スプライト画像ＳＰ２によって隠された、背景画像のみ（参考図２を参照。）であるといえる。
　
　上記（Ｃ）の手順が終了した時点は、参考図６の状態となっている。
　
　上記（Ａ）〜（Ｆ）の手順の終了後に、スプライト画像ＳＰ１の移動先にどのような画像が表示されているかを検討すると、上記手順（Ｄ）において、スプライト画像ＳＰ１の移動先の一部を含むスプライト画像ＳＰ２の移動前の位置に、背景画像のみの保護データＰＴＤ２（参考図２を参照。）が書き込まれた後、それ以降、スプライト画像ＳＰ２の移動前の位置には一切、画像が書き込まれていないから、スプライト画像ＳＰ１の移動先の一部を含むスプライト画像ＳＰ２の移動前の位置には、保護データＰＴＤ２である背景画像のみ（参考図２を参照。）が表示されているといえる。してみると、スプライト画像ＳＰ１の移動先の位置には、スプライト画像ＳＰ１が全て表示されているべきにもかかわらず、スプライト画像ＳＰ１の一部が欠けた状態で表示されているのであるから（参考図７を参照。）、「上記表示位置記憶部で指定される表示位置に、上記小画像記憶部に記憶されている小画像を、…書き込んでいく」ことができないことは明らかである。
　
　したがって、上記（１）乃至（３）の理由によって、本願の明細書の発明の詳細な説明の記載は、請求項１−２に係る発明を、実施することができる程度に明確かつ十分に記載したものとはいえない。
　
　なお、補正する際には、新規事項の追加とならないように十分、注意されたい。
　
　
　
第３　本願発明
　本願の請求項１に係る発明（以下、「本願発明」という。）は、「画像表示装置」に関するものであり、平成２１年８月２０日付けの手続補正により補正された明細書（以下、「本願明細書」という。）の特許請求の範囲の請求項１には、以下のとおりに記載されている。
　
「【請求項１】　背景画像上に合成する複数の小画像が優先順を示す情報に対応付けられて記憶される小画像記憶部と、
　上記複数の小画像の表示位置が夫々記憶される表示位置記憶部と、
　表示画面のイメージが記憶される表示画面記憶部と、
　上記背景画像が静止画の場合、上記小画像が合成される領域の上記背景画像を退避させる保護データ記憶部とを有し、
　上記背景画像上に上記複数の小画像を合成した画面を表示する際に、
　上記背景画像が動画の場合、上記表示位置記憶部で指定される表示位置に上記小画像記憶部に記憶されている小画像を書き込み、
　上記背景画像が静止画の場合、上記保護データ記憶部からの前回の保護データにより上記背景画像を修復しておき、
　上記表示位置記憶部で指定される表示位置に上記小画像記憶部に記憶されている小画像を書き込む前に、上記表示位置記憶部で指定される表示位置の背景画像を今回の保護データとして上記保護データ記憶部に退避させ、
　上記表示位置記憶部で指定される表示位置に、上記小画像記憶部に記憶されている小画像を、上記優先順を示す情報に基づき、より低い優先順を示す情報に対応付けられた上記小画像からより高い優先順を示す情報に対応付けられた上記小画像の順番で書き込んでいくようにし、
　複数の上記小画像が重なる場合には、後から合成が行われるより上記優先順が高い上記小画像で、それまで書き込まれていた上記小画像を書き換えるようにした
ことを特徴とする画像表示装置。」
　
　上記請求項１に記載された発明特定事項によれば、本願発明は、静止画の背景画像上に複数の小画像を合成した画面を表示するための構成として、
　背景画像上に複数の小画像を合成した画面を表示する際に、
　背景画像が静止画の場合、
（ａ）保護データ記憶部からの前回の保護データにより背景画像を修復しておき、
（ｂ）表示位置記憶部で指定される表示位置に小画像を書き込む前に、前記表示位置の背景画像を今回の保護データとして前記保護データ記憶部に退避させ、
（ｃ）前記表示位置に前記小画像を、より優先順が低い小画像から、より優先順が高い小画像の順番で書き込んでいくようにし、
（ｄ）複数の小画像が重なる場合には、後から合成が行われる、より優先順が高い小画像で、それまで書き込まれていた小画像を書き換えるようにする
　一連の処理を含むものであると認められる。
　
第４　発明の詳細な説明の記載
　本願明細書の発明の詳細な説明（以下、単に「発明の詳細な説明」という。）には、本願発明が有する、背景画像上に複数の小画像を合成した画面を表示する際に、背景画像が静止画の場合に、前記「第３　本願発明」の項において摘記した（ａ）乃至（ｄ）の処理に関して、以下の記載がある。
　
＜記載事項１＞
「【０００２】
【従来の技術】ゲームのキャラクタやマウスポインタのような小画像を画面上で高速表示させるために、高速表示をさせたい画像を予め作成してスプライト画像として登録しておき、スプライト画像の位置を指定し、指定された位置にスプライト画像を背景画像に合成して表示するようにしたスプライト表示が知られている。このようなスプライト画像は、通常、表示のためのフレームメモリとは別のメモリに格納されている。そして、スプライト画像を表示させる場合には、それぞれの表示データの優先順位の判定、透明判定、半透明の判定など各種判定処理が行なわれる。
【０００３】
【発明が解決しようとする課題】上述のように、従来のスプライト表示では、表示データの優先順位の判定、透明判定、半透明の判定など各種判定処理が行なわれる。優先順位判定の処理は、スプライト画像が重なった場合に、どちらを優先して表示するかの処理である。これらの判定処理は、スプライト画像が増加するに従って増加し、スプライト画像が複数重なるような場合には、処理が非常に重くなり、高速表示が行なえないという問題がある。
【０００４】したがって、この発明の目的は、複数のスプライト画像を表示する場合でも、優先順位の判定処理が不要で、高速でスプライト表示が行なえる画像表示装置を提供することにある。
　
（中略）
　
【０００７】スプライトデータが優先順に応じた画像番号でスプライトデータエリアに記憶される。そして、背景画面上に複数のスプライト画像を合成する際に、スプライトアドレスエリアで指定される表示位置に、スプライトデータエリアに記憶されているスプライトデータが、画像番号順に書き込まれる。このようにすると、複数のスプライト画像が重なる場合には、後からスプライト処理が行なわれるスプライト画像により、それまで書かれていたスプライト画像が書き換えられるため、優先度の判断処理が不要であり、ハードウェアの規模が削減され、消費電力の低減が図れると共に、高速動作が可能となる。
【０００８】また、ＲＡＭ上に、表示エリアと、スプライトデータエリアと、スプライトアドレスエリアと、保護エリアとが設けられ、スプライト画像が移動される場合には、保護エリアに退避されていた背景画像が、それまでスプライト画像が表示されていた位置に書き込まれ、それまでスプライト画像により隠されていた背景画像が修復され、それから、スプライトアドレスエリアで指定される今回の表示アドレスにより、次にスプライト画像が表示されることになる表示領域が判断され、次にスプライト画像が重ね合わせられることになる部分の背景画像のデータが保護エリアに退避され、それから、スプライトデータエリアからスプライトデータが読み込まれ、このスプライトデータがスプライトアドレスエリアで指定されるアドレスに従って表示エリアに書き込まれる。このように、表示エリアにスプライト画像が直接書き込まれるため、高速動作が可能である。
　
（中略）
　
【００１３】スプライトコントローラ５は、背景画像上に表示されるスプライト画像の描画を制御するためのコントローラである。スプライト画像データは、背景画像上にスプライト画像として重畳して表示させる画像である。原型となるスプライト画像データは、例えば、スプライトメモリ８に蓄えられている。背景画像上にスプライト画像データを表示する場合には、このスプライト画像データがＲＡＭ２上のスプライトデータエリア１２に格納される。このとき、複数のスプライト画像を用いる場合には、スプライトデータエリア１２には、優先権の順に従って、スプライト画像が格納される。
　
（中略）
　
【００１５】背景画像が静止画のときには、スプライトが重ね合わせられた部分の背景画像のデータを予めＲＡＭ２の保護エリア１４に退避させ、スプライト画像を表示エリア１１上の指定されたアドレスに直接書き込んでスプライト画像を表示する処理が行なわれる。
　
（中略）
　
【００１８】上述のように、この発明が適用されたグラフィック装置では、スプライトコントローラ５が設けられ、このスプライトコントローラ５により、背景画像が静止画の場合には、スプライトが重ね合わせられた部分の背景画像のデータを予めメモリ２の保護エリア１４に退避させ、表示エリア１１上の指定されたアドレスにスプライト画像を直接書き込んでスプライト画像を表示する処理が行なわれる。また、背景画像が動画の場合には、表示エリア１１上の指定されたアドレスにスプライト画像を直接書き込んでスプライト画像を表示する処理が行なわれる。このスプライト画像の処理について更に詳述する。
【００１９】上述したように、ＲＡＭ２には、表示エリア１１と、スプライトデータエリア１２と、スプライトアドレスエリア１３と、保護エリア１４が設けられる。表示エリア１１には、図２に示すように、ディスプレイ９に表示する画像に対応する画像データが記憶される。図２では、背景画像ＢＣＫ１に、スプライト画像ＳＰ１、ＳＰ２、ＳＰ３が重畳された画像が示されている。
【００２０】スプライトデータエリア１２には、図３に示すように、画像番号＃１、＃２、＃３、…毎に、スプライト画像データＳＰＤ１、ＳＰＤ２、ＳＰＤ３、…が記憶される。スプライト画像としては、例えば、図４Ａ、図４Ｂ、図４Ｃに示すような画像ＳＰ１、ＳＰ２、ＳＰ３が用いられる。スプライト画像データＳＰ１、ＳＰ２、ＳＰ３は、夫々、スプライト画像ＳＰ１、ＳＰ２、ＳＰ３に対応しているものとする。
【００２１】また、画像番号＃１、＃２、＃３、…は、スプライト画像の優先順を示している。画像番号＃１、＃２、＃３、…が大きい程優先順位が高く、複数のスプライト画像を重ねて表示させる場合には、優先順位の高いスプライト画像により、優先順位の低いスプライト画像は隠される。
【００２２】例えば、スプライト画像ＳＰ１の画像番号を＃１とし、スプライト画像ＳＰ３の画像番号を＃３とすると、スプライト画像ＳＰ３の画像番号の方がスプライト画像ＳＰ１の画像番号より大きい。このため、スプライト画像ＳＰ３の方がスプライト画像ＳＰ１よりも優先順位が高くなり、スプライト画像ＳＰ１とスプライト画像ＳＰ３とが重なる場合には、スプライト画像ＳＰ３がスプライト画像ＳＰ１上に表示されることになる。
【００２３】スプライトアドレスエリア１３には、スプライト画像ＳＰ１、ＳＰ２、ＳＰ３、…が表示される画面上のアドレスが記憶される。このスプライトアドレスエリア１３は、今回のスプライト画像のアドレスを記憶する現アドレス記憶部（図５Ａ）と、前回のスプライト画像のアドレスを記憶する前アドレス記憶部（図５Ｂ）とからなる。例えば、図６に示すように、スプライト画像ＳＰ１、ＳＰ２、ＳＰ３を移動させるようにした場合には、現アドレス記憶部には、図５Ａに示すように、スプライト画像ＳＰ１、ＳＰ２、ＳＰ３の今回の表示アドレスＡ１＿ＮＥＷ、Ａ２＿ＮＥＷ、Ａ３＿ＮＥＷ、…がスプライト画像番号＃１、＃２、＃３に対応して記憶される。前アドレス記憶部には、図５Ｂに示すように、前回のスプライト画像ＳＰ１、ＳＰ２、ＳＰ３の表示アドレスＡ１＿ＯＬＤ、Ａ２＿ＯＬＤ、Ａ３＿ＯＬＤ、…がスプライト画像番号＃１、＃２、＃３に対応して記憶される。
【００２４】保護エリア１４には、図７に示すように、保護画像データＰＴＤ１、ＰＴＤ２、ＰＴＤ３、…が画像番号＃１、＃２、＃３、…に対応して記憶される。この保護画像データは、図８に示すように、スプライト画像ＳＰ１、ＳＰ２、ＳＰ３により隠される背景画像のデータである。」
　
＜記載事項２＞
「【００２６】図１０は、上述のステップＳ３の静止画スプライト処理を示すものである。静止画スプライト処理では、先ず、画像番号ｎが「＃１」に初期化される（ステップＳ１１）。そして、画像番号＃１の前回のスプライト画像ＳＰ１の表示アドレスＡ１＿ＯＬＤがスプライトアドレスエリア１３により参照され（図５Ｂ）、表示エリア１１のアドレスＡ１＿ＯＬＤの部分にある背景画像のデータが画像番号＃１の保護画像データＰＴＤ１（図７）として書き込まれる（ステップＳ１２）。これにより、背景画像が修復される。
【００２７】背景画像が修復されたら、画像番号＃１の今回のスプライト画像ＳＰ１の表示アドレスＡ１＿ＮＥＷがスプライトアドレスエリア１３により参照される（図５Ａ）。この今回のスプライト画像が表示されることになる部分の背景画像を保護するために、表示アドレスＡ１＿ＮＥＷにそれまで書かれていた背景画像のデータが、保護データＰＴＤ１として保護エリア１４に記憶される（ステップＳ１３）。
【００２８】そして、画像番号＃１の今回のスプライト画像ＳＰ１の表示アドレスＡ１＿ＮＥＷがスプライトアドレスエリア１３により参照され（図５Ａ）、表示エリア１１のアドレスＡ１＿ＮＥＷに、画像番号＃１のスプライト画像データＳＰＤ１（図３）が書き込まれる（ステップＳ１４）。
【００２９】このようにして、画像番号＃１のスプライ画像ＳＰ１が背景画像ＢＣＫ１に合成される。画像番号＃１の処理が終了したら、次に、画像番号が「２」にインクリメントされる（ステップＳ１５）。そして、この画像番号が最終値であるか否かが判断され（ステップＳ１６）、最終値でなければ、ステップＳ１２にリターンされる。
【００３０】そして、ステップＳ１２〜Ｓ１６により、上述と同様の処理が行なわれ、画像番号＃２のスプライ画像ＳＰ２が背景画像ＢＣＫ１に合成される。以下、同様の処理が画像番号の最終値まで繰り返される。
【００３１】ステップＳ１６で、画像番号の最終値に達したと判断されたら、表示エリア１１の画像が描画コントローラ６に送られ、表示エリア１１の画像データがディスプレイ９に表示される（ステップＳ１７）。そして、１画面分の表示が行なわれたら、今回のスプライトアドレスＡｎ＿ＮＥＷが前回のスプライトアドレスＡｎ＿ＯＬＤとされ、今回のスプライトアドレスＡｎ＿ＮＥＷとして、新しいスプライトアドレスが書き込まれる（ステップＳ１５）。
【００３２】これにより、静止画スプライト処理が終了する。そして、図９におけるステップＳ１の処理に入り、垂直ブランキング期間に達すると、背景画が静止画であれれば、再び図１０に示す処理が繰り返される。このような処理により、スプライト画像を高速に動かすことができる。
【００３３】例えば、図１２に示すように、スプライト画像ＳＰ１を図１２Ａの位置から図１２Ｄの位置に移動させる場合について考察する。この場合、先ず、スプライトアドレスエリア１３で指定される前回の表示アドレスＡ１＿ＯＬＤにより、図１２Ｂに示すように、保護エリア１４から、それまで保護されていた保護データＰＴＤ１が読み出され、この保護データＰＴＤ１により、表示アドレスＡ１＿ＯＬＤに保護データＰＴ１が書き込まれる。これにより、図１２Ｂに示すように、スプライト画像データにより欠落されていた背景画像のデータが補修される。
【００３４】それから、スプライトアドレスエリア１３で指定される今回の表示アドレスＡ１＿ＮＥＷより、次にスプライト画像が表示されることになる表示領域が判断され、図１２Ｃに示すように、スプライト画像が重ね合わせられることになる部分の背景画像のデータが保護データＰＴ１として保護エリア１４に退避される。それから、図１２Ｄに示すように、スプライトデータエリア１２からスプライト画像データＳＰＤ１が読み込まれ、スプライトアドレスエリア１３で指定される今回の表示アドレスＡ１＿ＮＥＷより、このスプライト画像データＳＰＤ１が表示エリア１１のアドレスＡ１＿ＮＥＷに書き込まれる。
【００３５】これにより、スプライト画像ＳＰ１が図１２Ａの位置から図１２Ｄの位置に移動されることになる。
【００３６】更に、スプライト画像ＳＰ１が移動される場合には、保護エリア１４に退避されていた背景画像が、それまでスプライト画像が表示されていた位置に書き込まれ、それまでスプライト画像により隠されていた背景画像が修復され、それから、スプライトアドレスエリア１３で指定される今回の表示アドレスにより、次にスプライト画像が表示されることになる表示領域が判断され、次にスプライト画像が重ね合わせられることになる部分の背景画像のデータが保護エリア１４に退避され、それから、スプライトデータエリア１２からスプライトデータが読み込まれ、このスプライトデータがスプライトアドレスエリア１３で指定されるアドレスに従って表示エリア１１に書き込まれる。」
　
＜記載事項３＞
「【００２７】背景画像が修復されたら、画像番号＃１の今回のスプライト画像ＳＰ１の表示アドレスＡ１＿ＮＥＷがスプライトアドレスエリア１３により参照される（図５Ａ）。この今回のスプライト画像が表示されることになる部分の背景画像を保護するために、表示アドレスＡ１＿ＮＥＷにそれまで書かれていた背景画像のデータが、保護データＰＴＤ１として保護エリア１４に記憶される（ステップＳ１３）。
　
（中略）
　
【００３２】これにより、静止画スプライト処理が終了する。そして、図９におけるステップＳ１の処理に入り、垂直ブランキング期間に達すると、背景画が静止画であれれば、再び図１０に示す処理が繰り返される。このような処理により、スプライト画像を高速に動かすことができる。
【００３３】例えば、図１２に示すように、スプライト画像ＳＰ１を図１２Ａの位置から図１２Ｄの位置に移動させる場合について考察する。この場合、先ず、スプライトアドレスエリア１３で指定される前回の表示アドレスＡ１＿ＯＬＤにより、図１２Ｂに示すように、保護エリア１４から、それまで保護されていた保護データＰＴＤ１が読み出され、この保護データＰＴＤ１により、表示アドレスＡ１＿ＯＬＤに保護データＰＴ１が書き込まれる。これにより、図１２Ｂに示すように、スプライト画像データにより欠落されていた背景画像のデータが補修される。
　
（中略）
　
【００３６】更に、スプライト画像ＳＰ１が移動される場合には、保護エリア１４に退避されていた背景画像が、それまでスプライト画像が表示されていた位置に書き込まれ、それまでスプライト画像により隠されていた背景画像が修復され、それから、スプライトアドレスエリア１３で指定される今回の表示アドレスにより、次にスプライト画像が表示されることになる表示領域が判断され、次にスプライト画像が重ね合わせられることになる部分の背景画像のデータが保護エリア１４に退避され、それから、スプライトデータエリア１２からスプライトデータが読み込まれ、このスプライトデータがスプライトアドレスエリア１３で指定されるアドレスに従って表示エリア１１に書き込まれる。
　
（中略）
　
【００４２】以上のように、この発明が適用されたグラフィック処理装置では、スプライトデータエリア１２により指定されるアドレスに従って、表示エリア１１に画像データを直接書き込んで、スプライ処理が行なえる。そして、スプライト画像ＳＰ１、ＳＰ２、ＳＰ３、…に対して、優先順にスプライト画像番号＃１、＃２、＃３、…が割り振られ、このスプライト画像番号＃１、＃２、＃３、…の順番に、スプライト画像が背景画像に合成される。したがって、複数のスプライト画像が重なる場合には、後からスプライト処理が行なわれる優先度の高いスプライト画像により、それまで書かれていたスプライト画像が書き換えられる。このため、優先度の判断処理が不要である。
【００４３】このように、この発明が適用されたグラフィック処理装置では、指定されたアドレスによるデータの書き換えだけで、スプライト画像が合成できるめ、スプライト画像を高速に表示できる。
　
（中略）
　
【００４６】
【発明の効果】この発明によれば、スプライトデータが優先順に応じた画像番号でスプライトデータエリアに記憶される。そして、背景画面上に複数のスプライト画像を合成する際に、スプライトアドレスエリアで指定される表示位置に、スプライトデータエリアに記憶されているスプライトデータが、画像番号順に書き込まれる。このようにすると、複数のスプライト画像が重なる場合には、優先順が高く、後からスプライト処理が行なわれるスプライト画像により、それまで書かれていたスプライト画像が書き換えられるため、優先度の判断処理が不要であり、ハードウェアの規模が削減され、消費電力の低減が図れると共に、高速動作が可能となる。
【００４７】また、この発明によれば、ＲＡＭ上に、表示エリアと、スプライトデータエリアと、スプライトアドレスエリアと、保護エリアとが設けられ、スプライト画像が移動される場合には、保護エリアに退避されていた背景画像が、それまでスプライト画像が表示されていた位置に書き込まれ、それまでスプライト画像により隠されていた背景画像が修復され、それから、スプライトアドレスエリアで指定される今回の表示アドレスにより、次にスプライト画像が表示されることになる表示領域が判断され、次にスプライト画像が重ね合わせられることになる部分の背景画像のデータが保護エリアに退避され、それから、スプライトデータエリアからスプライトデータが読み込まれ、このスプライトデータがスプライトアドレスエリアで指定されるアドレスに従って表示エリアに書き込まれる。このように、表示エリアにスプライト画像が直接書き込まれるため、高速動作が可能である。」
　
第５　当審の判断
１　本願発明と発明の詳細な説明の記載との関係
　本願発明は、静止画の背景画像上に複数の小画像を合成した画面を表示する際に、前記「第３　本願発明」の項において摘記した上記（ａ）乃至（ｄ）の一連の処理を行うものであるから、画面の表示が更新されるような場合は、その更新毎に、静止画の背景画像上に複数の小画像を合成する処理すなわち上記（ａ）乃至（ｄ）の一連の処理が、繰り返し行われていることになることは明らかである。
　
　そして、本願明細書における「ゲームのキャラクタやマウスポインタのような小画像を画面上で高速表示させる」（【０００２】）や、「図６に示すように、スプライト画像ＳＰ１、ＳＰ２、ＳＰ３を移動させるようにした場合には」（【００２３】）等の記載からみて、小画像は移動するものであり、小画像が移動する毎に表示が更新されているはずであることが読み取れること、図９に示されたフローチャートからみて、Ｖブランキング毎にスプライト処理が行われて表示が更新されていることが読み取れること、またそもそも一般常識に照らしてみても、「画像表示装置」において表示が更新されないことはあり得ないことからみて、本願発明の「画像表示装置」は、画面が更新されて繰り返し表示されるものであり、表示が更新される毎に、上記（ａ）乃至（ｄ）の一連の処理が、繰り返し行われていることは明らかである。
　
　よって、発明の詳細な説明の記載が、本願発明の「画像表示装置」を当業者が実施し得る程度に明確かつ十分に記載されたものであるというためには、上記（ａ）乃至（ｄ）の一連の処理が繰り返し行われるものにおいて、静止画の背景画像上に複数の小画像を合成した画面を表示することが可能な程度に、明確かつ十分に記載されていなければならない。
　そのためには、複数の小画像が重なっていない状態から、前記一連の処理により、複数の小画像を別の位置に移動する場合のみならず、複数の小画像が重なって表示された状態から、前記一連の処理により、複数の小画像を別の位置に移動する場合についても、発明の詳細な説明に、当業者が実施し得る程度に明確かつ十分に記載されていなければならないことは明らかである。
　（なお、当審において、本願発明において前記一連の処理が繰り返し行われることを前提として、複数の小画像が重なって表示された状態から、前記一連の処理により、複数の小画像を別の位置に移動する場合を想定した拒絶理由を通知したが、審判請求人は、意見書において、その前提について何も反論しなかった。）
　
　そこで、静止画の背景画像上にスプライト画像ＳＰ１（以下、「ＳＰ１」という。）が合成され、さらにその上に、ＳＰ１より優先順位が高いスプライト画像ＳＰ２（以下、「ＳＰ２」という。）が一部重なって合成された、下記参考図８に示される状態から、上記（ａ）乃至（ｄ）の一連の処理により、ＳＰ１及びＳＰ２を別の位置に移動させる場合を想定して、検討する。
　
　
　上記記載事項１の段落【００２４】の「この保護画像データは、図８に示すように、スプライト画像ＳＰ１、ＳＰ２、ＳＰ３により隠される背景画像のデータである。」という記載及び図８からみて、背景画像上にＳＰ１及びＳＰ２が合成された画面が表示されている時点の、保護エリアに記憶されている保護画像データＰＴＤ１（以下、「ＰＴＤ１」という。）、及び保護画像データＰＴＤ２（以下、「ＰＴＤ２」という。）は、ＳＰ１及びＳＰ２により隠される背景画像のデータであることが読み取れる。
　しかしながら、上記記載事項１の段落【００２４】、図８に示されているのは、ＳＰ１の上にＳＰ２が重ならず、ＳＰ２により隠される画像が背景画像のみとなる時のＰＴＤ２の画像についてであり、上記参考図８に示されているＳＰ１の上にＳＰ２が一部重なり、ＳＰ２により隠される画像がＳＰ１の一部の画像を含む背景画像となる時のＰＴＤ２の画像が如何なる画像なのかについては、発明の詳細な説明のいずれにも明記されていない。したがって、ＳＰ１の上にＳＰ２が一部重なる時のＰＴＤ２が、重ならない時と同様に、ＳＰ２により隠される背景画像すなわちＳＰ１が全く含まれない背景画像のみと解釈していいのか否か明らかでない。
　通常、ＳＰ１の上にＳＰ２が一部重なった状態から、ＳＰ２が別の位置に移動した場合に、ＳＰ１の上にＳＰ２がない画像に修復するためには、ＳＰ１の一部の画像を含む背景画像を、ＳＰ２の位置に表示しなければならないから、修復という本来の目的から考えて、ＳＰ１の上にＳＰ２が一部重なる時のＰＴＤ２は、背景画像のみと解釈するのではなく、ＳＰ２により隠されるＳＰ１の一部の画像を含む背景画像であると解釈することもできる。
　そこで、ＰＴＤ２が、ＳＰ１の一部の画像を含む背景画像であると解釈する場合と、ＳＰ１が全く含まれない背景画像のみであると解釈する場合の２つに分けて、以下、検討を続ける。
　
（１）ＰＴＤ２がＳＰ１の一部の画像を含む背景画像である場合
　上記参考図８に示された状態にある時点において、スプライトエリアに記憶されるＳＰ１及びＳＰ２、保護エリアに記憶されるＰＴＤ１及びＰＴＤ２は下記参考図９に示すものと認められる。
　
　
　次に、上記参考図８に示された状態から、ＳＰ１及びＳＰ２がそれぞれ別の位置に移動させる場合を想定すると、移動するＳＰ１及びＳＰ２の表示処理は、上記記載事項２、図１０からみて、以下の順番で行われる。
（Ａ）ＳＰ１の移動前の位置に、ＰＴＤ１を書き込む。
（Ｂ）移動先の位置の背景画像を、ＰＴＤ１として退避する。
（Ｃ）移動先の位置に、ＳＰ１を書き込む。
（Ｄ）ＳＰ２の移動前の位置に、ＰＴＤ２を書き込む。
（Ｅ）移動先の位置の背景画像を、ＰＴＤ２として退避する。
（Ｆ）移動先の位置に、ＳＰ２を書き込む。
　
　上記（Ａ）〜（Ｆ）の手順の終了後に、ＳＰ２の移動前の位置にどのような画像が表示されているかについて着目すると、上記手順（Ｄ）において、ＳＰ２の移動前の位置にＰＴＤ２が書き込まれた後、それ以降、ＳＰ２の移動前の位置には一切、画像が書き込まれていないから、ＳＰ２の移動前の位置には、ＰＴＤ２である背景画像及びＳＰ１の一部が表示されているといえる。してみると、ＳＰ１、ＳＰ２は移動先の位置に移動しており、移動前の位置に表示される画像は、ＰＴＤ１及びＰＴＤ２により修復され、本来背景画像のみとなっているべきにもかかわらず、下記参考図１０に示すように依然としてＳＰ１の一部が表示されているのであるから、ＰＴＤ１及びＰＴＤ２により背景画像を以前の状態に直す、すなわち修復することができたとはいえないことは明らかである。
　
　
　つまり、ＳＰ１が別の位置に移動した後、ＰＴＤ２によりＳＰ２の位置の背景画像を修復する場合、ＳＰ１は既に別の位置に移動しているから、修復するためには背景画像のみを表示しなければならないところ、ＰＴＤ２はＳＰ１の一部の画像を含んでいるために、背景画像だけでなくＳＰ１の一部の画像まで表示してしまい修復できない。
　
　したがって、この出願の発明の詳細な説明の記載は、本願発明における「背景画像が静止画の場合、上記保護データ記憶部からの前回の保護データにより上記背景画像を修復」することを、当業者が実施することができる程度に明確かつ十分に記載したものではない。
　
（２）ＰＴＤ２が背景画像のみである場合
　上記参考図８に示された状態にある時点における、スプライトエリアに記憶されるＳＰ１及びＳＰ２、保護エリアに記憶されるＰＴＤ１及びＰＴＤ２は下記参考図１１に示すものと認められる。
　
　
　次に、上記参考図８に示された状態から、ＳＰ１をわずかに右に移動させ、移動前とは別の位置でＳＰ２と一部重なるようにしてから、ＳＰ２を別の位置に移動する場合を想定すると、移動するＳＰ１及びＳＰ２の表示処理は、上記記載事項２、図１０からみて、上述と同様に以下の順番で行われる。
（Ａ）ＳＰ１の移動前の位置に、ＰＴＤ１を書き込む。
（Ｂ）移動先の位置の背景画像を、ＰＴＤ１として退避する。
（Ｃ）移動先の位置に、ＳＰ１を書き込む。
（Ｄ）ＳＰ２の移動前の位置に、ＰＴＤ２を書き込む。
（Ｅ）移動先の位置の背景画像を、ＰＴＤ２として退避する。
（Ｆ）移動先の位置に、ＳＰ２を書き込む。
　
　ここで、上記手順（Ｃ）において、ＳＰ１がわずかに右に移動し、移動前とは別の位置でＳＰ２と一部重なるようにしているから、上記（Ａ）〜（Ｃ）の手順が終了した時点は、下記参考図１２に示す状態になっている。
　
　
　そして、上記（Ｄ）〜（Ｆ）の手順の終了後に、ＳＰ１の移動先の位置にどのような画像が表示されているかについて着目すると、上記手順（Ｄ）において、ＳＰ１と一部重なるＳＰ２の移動前の位置に、背景画像のみのＰＴＤ２が書き込まれた後、それ以降、ＳＰ２の移動前の位置には一切、画像が書き込まれていないから、ＳＰ１と一部重なるＳＰ２の移動前の位置には、ＰＴＤ２である背景画像のみが表示されているといえる。してみると、ＳＰ１の移動先の位置には、ＳＰ１が全て表示されているべきにもかかわらず、下記参考図１３で示すようにＳＰ１の一部が欠けた状態で表示されており、背景画像上に複数の小画像を合成した画面を表示できたとはいえないことは明らかである。
　
　
　つまり、ＰＴＤ２が背景画像のみである場合、移動後のＳＰ１がＳＰ２に重なっていると、ＳＰ２の位置に背景画像のみのＰＴＤ２が書き込まれることにより、ＳＰ２だけでなく移動したＳＰ１の一部の画像まで消去してしまい、背景画像上にＳＰ１を表示できないことになる。
　
　したがって、この出願の発明の詳細な説明の記載は、本願発明における「背景画像上に複数の小画像を合成した画面を表示する」ことを、当業者が実施することができる程度に明確かつ十分に記載したものではない。
　
２　意見書における審判請求人の主張の検討
　審判請求人は、当審拒絶理由に対して意見書において、参考図Ａ乃至Ｃを引用して、以下の主張１及び２をしている。
　
＜主張１＞
「特開昭５８−０９１４９２号公報及び特開平０５−０４６１３８号公報等から分かるように本願出願前において、同一画面上に複数のスプライト画像を重ね合わせて表示することが可能な場合、操作者の意図に応じてスプライト画像に対して何らかの制御を行うとき、制御の対象とされたスプライト画像は、最も注目されるスプライト画像となるため、複数あるスプライト画像の中でも優先順位が最も高いスプライト画像となるよう制御され、さらに当該スプライト画像が意図したように制御されているか否かを確認する必要もあり、複数あるスプライト画像の中でも優先順位が最も高くなるよう制御されることは、周知で当業者にとって自明の事項であり、願書に添付した明細書等に記載がなくても、これに接した当業者であれば、出願時の技術常識に照らして、その意味であることが明らかであって、その事項がそこに記載されているのと同然であると理解する事項であると思料致します。
　そして、優先順位に基づき背景画像にスプライト画像が合成されるため、スプライト画像の優先順位が変化すると、一度作成された背景画像に複数のスプライト画像が合成された画像を使用することはできないことも、周知で当業者にとって自明の事項であり、願書に添付した明細書等に記載がなくても、これに接した当業者であれば、出願時の技術常識に照らして、その意味であることが明らかであって、その事項がそこに記載されているのと同然であると理解する事項であると思料致します。
　従って、スプライト画像の優先順位が変化すると、背景画像に複数のスプライト画像が優先順位に基づき合成される処理が再度施されることは、周知で当業者にとって自明の事項であり、願書に添付した明細書等に記載がなくても、これに接した当業者であれば、出願時の技術常識に照らして、その意味であることが明らかであって、その事項がそこに記載されているのと同然であると理解する事項であると思料致します。」（第２頁の第１−２２行）
　
＜主張２＞
「具体的には、参考図Ａに示すように、画像番号＃１がスプライト画像ＳＰ１となり、画像番号＃２がスプライト画像ＳＰ２となるとき、スプライト画像ＳＰ１及びＳＰ２が優先順位に基づいて背景画像に合成される。このときの保護データＰＴＤ１は、背景画像のみとなり保護データＰＴＤ２は、背景画像とスプライト画像ＳＰ１の一部の画像となる。
　ここで、スプライト画像ＳＰ１に対して何らかの制御を行うためにスプライト画像ＳＰ１が選択されると、参考図Ｂに示すように、スプライト画像ＳＰ１の優先順位が最も高くなるため、画像番号＃１がスプライト画像ＳＰ２となり、画像番号＃２がスプライト画像ＳＰ１となる。そして、優先順位が変化したため、スプライト画像ＳＰ１及びＳＰ２が優先順位に基づいて背景画像に合成される。このときの保護データＰＴＤ１は、背景画像のみとなり、保護データＰＴＤ２は、背景画像とスプライト画像ＳＰ２の一部の画像となる。
　そして、選択されたスプライト画像ＳＰ１の表示位置が変更され、変更先が決定されると、参考図Ｃに示すように、画像番号＃１がスプライト画像ＳＰ２となり、画像番号＃２がスプライト画像ＳＰ１となる。このとき、優先順位に変化がないので、スプライト画像ＳＰ１及びＳＰ２が優先順位に基づいて背景画像に合成されることはない。そして、このときの保護データＰＴＤ１は、背景画像のみとなり、保護データＰＴＤ２も、背景画像のみとなる。」（第２頁の第２３−３９行）
　
　
　
　
（１）主張１の検討
　上記主張１は要するに、同一画面上に複数のスプライト画像を重ね合わせて表示することが可能な場合、操作者の意図に応じて何らかの制御の対象とされたスプライト画像は、優先順位が最も高くなるように制御されることは、本願出願前に当業者にとって技術常識であり、本願明細書に記載がなくとも、当該技術常識に照らして、本願明細書に記載されているに等しい事項であり、また、スプライト画像の優先順位が変化すると、背景画像に複数のスプライト画像が優先順位に基づき合成される処理が再度施されることも技術常識であり、本願明細書に記載されているに等しい事項であるとの主張である。
　
　しかしながら、意見書で主張１の根拠として引用した２件の公開特許公報に記載された表示技術は、いずれも同一画面上に複数のウィンドウを表示するマルチウィンドウ表示に関するものに過ぎず、スプライト画像の表示に関するものですらない。したがって、操作者の意図に応じて制御の対象とされたスプライト画像の優先順位を最も高くして、優先順位の変化により再度合成される処理が施されることが、スプライト画像の表示における技術常識であるとの審判請求人の上記主張は、誤った根拠に基づく主張である。
　
　よって、当を得ない審判請求人の上記主張１は採用することができない。
　
（２）主張２の検討
　なお、念のために、仮に、上記主張１のとおりであるとした場合について、上記主張２の妥当性を検討する。
　上記主張２及び上記参考図Ａ乃至Ｃによると、ＳＰ１に、ＳＰ１より優先順位が高いＳＰ２が一部重なって合成される上記参考図Ａの状態から、ＳＰ１を移動させる場合、ＳＰ１が制御の対象となりＳＰ２より優先順位が高くなるので、再度合成処理が行われた結果、上記参考図Ｂに示すＳＰ２の上にＳＰ１が一部重なって表示される状態になり、次に、上記参考図Ｂの状態から、ＳＰ１が移動して、上記参考図Ｃの状態になる。
　
　ここで、参考図Ｂ、Ｃのいずれも、ＳＰ２が画像番号♯１で、ＳＰ１がより優先順位が高い画像番号♯２であり、優先順位は変化していないから、上記参考図Ｂの状態から、ＳＰ１が移動して上記参考図Ｃの状態になるまでに行われる表示処理は、上記記載事項２及び図１０からみて、以下の手順となる。そして、参考図Ｂ及びＣのＳＰ２の位置が変化していないことからみて、意見書には明記されていないが、ＳＰ２は移動していないものとする。
　
（Ａ）ＳＰ２の移動前の位置に、ＰＴＤ１を書き込む。
（Ｂ）移動先の位置の背景画像を、ＰＴＤ１として退避する。
（Ｃ）移動先の位置に、ＳＰ２を書き込む。
（Ｄ）ＳＰ１の移動前の位置に、ＰＴＤ２を書き込む。
（Ｅ）移動先の位置の背景画像を、ＰＴＤ２として退避する。
（Ｆ）移動先の位置に、ＳＰ１を書き込む。
　
　上記手順（Ｄ）において、ＳＰ１により隠されるＳＰ２の一部を含む背景画像であるＰＴＤ２が、移動前のＳＰ１の位置に書き込まれるが、ＳＰ２は移動していないため、ＰＴＤ２の画像に含まれるＳＰ２の一部の画像は、移動していないＳＰ２の一部の画像が表示されている位置に、同じ画像として書き込まれるだけである。よって、ＳＰ２が移動しない場合は、ＳＰ２の一部の画像のみが表示されることはなく、ＰＴＤ２により修復することができる。
　しかしながら、ＳＰ１のみならずＳＰ２も移動する場合は、上記「第５　当審の判断　１　本願発明と発明の詳細な説明との記載との関係　（１）ＰＴＤ２がＳＰ１の一部の画像を含む背景画像である場合」において検討したように、背景画像のみとなっているべきＳＰ１及びＳＰ２の移動前の表示位置にＳＰ２の一部が表示されることになり、ＰＴＤ２によって修復することができたとはいえない。そして、本願発明は、ゲームのキャラクタやマウスポインタのような画面上で高速表示させることを目的としたスプライト画像（段落【０００２】）に関するものであり、ＳＰ１と同時にＳＰ２が移動する場合もあり得るものであり、ＳＰ２が移動するしないに関わらず、修復しなければならないところ、ＳＰ２が移動する場合にＰＴＤ２によって修復できないのであるから、意見書を参酌しても、この出願の発明の詳細な説明の記載は、本願発明を当業者が実施することができる程度に明確かつ十分に記載したものとは認められない。
　
　よって、審判請求人の上記主張２は採用することができない。
　
第６　まとめ
　したがって、この出願の発明の詳細な説明の記載は、当業者が本願発明を実施することができる程度に明確かつ十分に記載したものではない。
　
第７　むすび
　以上のとおり、この出願の発明の詳細な説明の記載は、特許法第３６条第４項に規定する要件を満たしていないから、他の請求項に係る発明について審理するまでもなく、本願は拒絶すべきものである。
　
　よって、結論のとおり審決する。